(57)【要約】【課題】  蓄電池を収容した梱包箱の輸送時、梱包箱内部で意図せず外れることがなく、しかも、蓄電池の蓋から簡単に取り外すことができる蓄電池用ハンドルを提供する。【解決手段】  蓄電池用ハンドル１の各係止部１ａは、蓋４に設けられた各切欠き部４ａに係止される。係止部１ａは、二股に分かれて形成された各腕部１ｃの末端に切欠き幅Ｂより大きく張り出し、蓋４の各側部に形成された空間４ｂに嵌まって切欠き部４ａに引っ掛かる幅寸法Ｃを有する。各腕部１ｃは、切欠き部挿入位置１ｄの幅寸法Ｄが側面開口幅Ａより小さい。切欠き部４ａの周縁に露出する二股の外側の位置には爪状突起１ｅが形成され、その位置の腕部１ｃの幅寸法Ｅは切欠き幅Ｂより小さい。切欠き部４ａに位置する幅の寸法Ｆは、切欠き幅Ｂよりも爪状突起１ｅの高さｈ分以上小さい。二股の外側部分は二股のその間隔を広げる付勢力により、各切欠き部４ａの互いに離れた内周４a1に押圧される。【選択図】  図２
2020136215.tif 000002
【特許請求の範囲】
【請求項１】
蓄電池の蓋の対向する各側部に側面開口幅が切欠き幅より狭く設けられた切欠き部に引っ掛かって係止される、ハンドル両端に設けられた係止部と、蓄電池が持ち上げられるときに把持される、前記係止部間をつなぐ帯状の把持部とを備える蓄電池用ハンドルにおいて、
前記係止部は、ハンドル両端に二股に分かれて形成された各腕部の末端に前記切欠き部の切欠き幅より大きく前記腕部の幅方向に張り出して形成され、各前記側部に一対設けられた前記切欠き部の下方に形成された空間に嵌まって前記切欠き部に引っ掛かる幅寸法を有し、
各前記腕部は、前記係止部から前記二股の根元側へ所定距離離れた切欠き部挿入位置の幅寸法が前記切欠き部の側面開口幅より小さく、前記係止部が前記切欠き部に引っ掛かった際に前記切欠き部の周縁に露出する前記二股の外側の位置に突起が形成され、前記突起が形成された位置の幅寸法が前記切欠き部の切欠き幅より小さく、前記係止部が前記切欠き部に引っ掛かった際に前記切欠き部に位置する幅の寸法が、前記切欠き部の切欠き幅よりも前記突起の高さ分以上小さく、前記係止部が前記切欠き部に引っ掛かった際に前記切欠き部に位置する前記二股の外側部分が前記二股のその間隔を広げる付勢力により各前記切欠き部の互いに離れた内周に押圧される
ことを特徴とする蓄電池用ハンドル。
【請求項２】
各前記腕部は、前記切欠き部挿入位置より前記二股の根元側に肉が削がれた中抜き部が形成されていることを特徴とする請求項１に記載の蓄電池用ハンドル。
【請求項３】
各前記腕部は、前記中抜き部によって削がれた肉の体積と略同じ体積分板厚が厚くされた厚肉部が前記中抜き部を挟む箇所に形成されていることを特徴とする請求項２に記載の蓄電池用ハンドル。
【請求項４】
各前記腕部は、前記中抜き部と前記切欠き部挿入位置との間における前記二股の外側に、板厚が厚くされて形成された指当て部が設けられていることを特徴とする請求項２または請求項３に記載の蓄電池用ハンドル。
【請求項５】
前記指当て部は、前記把持部の持ち上げ方向に略平行な方向に沿って形成されていることを特徴とする請求項４に記載の蓄電池用ハンドル。
【請求項６】
前記指当て部は、前記二股の外側に凹凸が形成されていることを特徴とする請求項４または請求項５に記載の蓄電池用ハンドル。
【請求項７】
各前記係止部間は、各前記係止部と一体になって形成され、各前記係止部間に弾力を生じさせる連結部によって連結されていることを特徴とする請求項１から請求項６の何れか１項に記載の蓄電池用ハンドル。
【発明の詳細な説明】
【技術分野】
【０００１】
本発明は、蓄電池が持ち上げられるときに把持される、蓄電池の蓋に取り付けられる蓄電池用ハンドルに関するものである。
【背景技術】
【０００２】
従来、この種の蓄電池用ハンドルとしては、例えば、特許文献１に開示された蓄電池の取手がある。
【０００３】
取手が取り付けられる蓄電池の蓋は、対向する２つの端縁部の各々に、側方へ開いた２つの切欠きが形成され、２つの切欠きの間には下方に空間を形成する係合壁が形成されている。取手の両端部には、それぞれ、係合壁を受け入れ、かつ、２つの切欠きに受け入れられるループ状部分が形成されている。切欠きの幅は開口側において狭くされ、また、ループ状部分の両側部には、切欠きの開口の通過を許容するくびれが形成されている。取手の一方端に形成される一方のループ状部分には、くびれより端部側に、切欠きの周縁部に係合する突起が設けられている。
【０００４】
取手を蓄電池の蓋に取り付ける際、ループ状部分を係合壁に係合させるため、くびれの部分から切欠きにループ状部分が挿入される。その後、取手を引き上げることにより、ループ状部分が切欠き内でスライドし、ループ状部分の端部が係合壁に係合して、取手が蓄電池の蓋に取り付けられる。突起が設けられた一方のループ状部分は、取手が蓋に一旦取り付けられると、容易に蓋から取り外すことができなくなる。蓄電池は、その梱包時、突起が形成された取手の一方の端部が蓋に固定され、もう一方の端部が蓋から取り外された状態にされる。この梱包によれば、箱の梱包寸法を小さくしながら、蓄電池を箱から取り出す際、取り外された状態の取手の端部を容易に蓋に取り付けて、箱から容易に蓄電池を取り外すことができる。
【先行技術文献】
【特許文献】
【０００５】
【特許文献１】実開平５−７５９６２号公報
【発明の概要】
【発明が解決しようとする課題】
【０００６】
しかしながら、上記従来の蓄電池の取手では、梱包箱から蓄電池を容易に取り出せても、取り出した蓄電池の蓋に取り付けられた取手の一方の端部は、突起によって切欠きから簡単に取り外すことができない。また、取手を簡単に蓋から取り外せるようにするため、突起をループ状部分に設けないことにすると、梱包箱の輸送時、梱包箱外部から梱包箱内部の取手に外力が加わり、取手が押された場合には、取手の端部が切欠きから意図せず外れてしまうことがある。
【課題を解決するための手段】
【０００７】
本発明はこのような課題を解決するためになされたもので、
蓄電池の蓋の対向する各側部に側面開口幅が切欠き幅より狭く設けられた切欠き部に引っ掛かって係止される、ハンドル両端に設けられた係止部と、蓄電池が持ち上げられるときに把持される、係止部間をつなぐ帯状の把持部とを備える蓄電池用ハンドルにおいて、
係止部は、ハンドル両端に二股に分かれて形成された各腕部の末端に切欠き部の切欠き幅より大きく腕部の幅方向に張り出して形成され、蓋の各側部に一対設けられた切欠き部の下方に形成された空間に嵌まって切欠き部に引っ掛かる幅寸法を有し、
各腕部は、係止部から二股の根元側へ所定距離離れた切欠き部挿入位置の幅寸法が切欠き部の側面開口幅より小さく、係止部が切欠き部に引っ掛かった際に切欠き部の周縁に露出する二股の外側の位置に突起が形成され、突起が形成された位置の幅寸法が切欠き部の切欠き幅より小さく、係止部が切欠き部に引っ掛かった際に切欠き部に位置する幅の寸法が、切欠き部の切欠き幅よりも突起の高さ分以上小さく、係止部が切欠き部に引っ掛かった際に切欠き部に位置する二股の外側部分が二股のその間隔を広げる付勢力により各切欠き部の互いに離れた内周に押圧される
ことを特徴とする。
【０００８】
本構成によれば、ハンドル両端に二股に分かれて形成された各腕部は、係止部から二股の根元側へ所定距離離れた、切欠き部の側面開口幅より幅寸法が小さい切欠き部挿入位置から、切欠き部へ挿入される。この挿入後、把持部等が把持されて持ち上げられると、各腕部は各切欠き部内をスライドする。この際、各腕部は、突起が形成された位置の幅寸法が切欠き部の切欠き幅より小さいため、突起が形成された位置の部分も、切欠き部内をスライドする。その後、各腕部の末端に切欠き部の切欠き幅より大きく張り出して形成された係止部が、切欠き部の下方に形成された空間に嵌まって、切欠き部に引っ掛かって係止される。蓄電池用ハンドルのこの取り付け状態では、係止部が切欠き部に引っ掛かって係止されることで、把持部を持ち上げたときに蓄電池の荷重は各腕の末端４箇所に設けられた係止部によって支えられる。
【０００９】
また、この取り付け状態では、切欠き部に位置する各腕部の二股の外側部分は、二股のその間隔を広げる付勢力により、各切欠き部の互いに離れた内周に押圧される。したがって、各腕部の二股の外側の位置に形成されている突起は、切欠き部の周縁における蓋上面の上方に位置させられる。このため、把持部等が上方から押されても、各腕部は、突起が切欠き部の周縁における蓋上面に衝突するため、下方に移動することができない。よって、各腕部の切欠き部挿入位置も下方に移動することができず、切欠き部挿入位置が切欠き部に達して各腕部が切欠き部から外れることはない。すなわち、蓄電池を収容した梱包箱の輸送時、梱包箱外部から梱包箱内部の把持部等に外力が加わり、蓄電池用ハンドルが上方から押された場合にも、各腕部が切欠き部から意図せず外れる事態は防止される。
【００１０】
また、各腕部を切欠き部から取り外す際には、二股になった各腕部の間隔を狭め、各切欠き部に位置する、切欠き幅よりも突起の高さ分以上小さな幅寸法部分の各腕部を、各切欠き部の内部で、各切欠き部の互いに近い位置の内周側へ突起の高さ分以上近づけることで、突起は、切欠き部の周縁における蓋上面の上方位置から外れる。その後、各腕部を下方へ押しやると、各腕部は、突起に邪魔されること無く各切欠き部内をスライドし、切欠き部挿入位置が切欠き部に達して、切欠き部から取り外される。このため、蓄電池の蓋に取り付けられた蓄電池用ハンドルは、二股になった各腕部の間隔を狭め、下方へ押しやることで、切欠き部から簡単に取り外すことができる。
【００１１】
また、本発明は、各腕部が、切欠き部挿入位置より二股の根元側に肉が削がれた中抜き部が形成されていることを特徴とする。
【００１２】
本構成によれば、中抜き部が形成された箇所の各腕部の剛性が低下して変形し易くなる。このため、各腕部を切欠き部から取り外す際、中抜き部が曲げやすくなるため、二股になった各腕部の間隔を軽い力で狭めて、各腕部を各切欠き部から容易に取り外すことができる。
【００１３】
また、本発明は、さらに、各腕部が、中抜き部によって削がれた肉の体積と略同じ体積分板厚が厚くされた厚肉部が中抜き部を挟む箇所に形成されていることを特徴とする。
【００１４】
蓄電池用ハンドルに蓄電池の荷重が掛かった際には中抜き部に引張り力がかかるが、本構成によれば、この引張り力に対する引っ張り強度を中抜き部に確保することが可能になる。
【００１５】
また、本発明は、各腕部が、中抜き部と切欠き部挿入位置との間における二股の外側に、板厚が厚くされて形成された指当て部が設けられていることを特徴とする。
【００１６】
本構成によれば、指先を安定して指当て部に当てて、二股になった各腕部の間隔を操作感良く狭めることができる。
【００１７】
また、本発明は、指当て部が、把持部の持ち上げ方向に略平行な方向に沿って形成されていることを特徴とする。
【００１８】
本構成によれば、二股に広がる腕部において指当て部が二股の外側に張り出す距離が抑制される。このため、蓄電池の蓋から柱状に突出して指当て部の近傍に位置することとなる電池端子と指当て部との間に距離が確保されるようになり、指当て部に指先を当てる際に指先が電池端子に邪魔されなくなる。
【００１９】
また、本発明は、指当て部が、二股の外側に凹凸が形成されていることを特徴とする。
【００２０】
本構成によれば、指当て部に当てた指先が凹凸によって滑り難くなる。このため、指当て部に指先を当てて、確実に、二股になった各腕部の間隔を狭めることができる。
【００２１】
また、本発明は、各係止部間が、各係止部と一体になって形成され、各係止部間に弾力を生じさせる連結部によって連結されていることを特徴とする。
【００２２】
本構成によれば、各係止部間の距離の大きな変化が連結部によって抑制される。このため、蓄電池用ハンドルを取り扱う際に腕部における二股の広がりの変化が抑制されて、ハンドル形状が安定化し、蓄電池用ハンドルの取り扱い性が向上する。
【発明の効果】
【００２３】
本発明によれば、蓄電池を収容した梱包箱の輸送時、梱包箱内部で意図せず外れることがなく、しかも、蓄電池の蓋から簡単に取り外すことができる蓄電池用ハンドルを提供することができる。
【図面の簡単な説明】
【００２４】
【図１】（ａ）は、本発明の一実施の形態による蓄電池用ハンドルの平面図、（ｂ）は側面図、（ｃ）は正面図である。
【図２】（ａ）は図１（ａ）に示す蓄電池用ハンドルの一部拡大平面図、（ｂ）は図１（ｂ）に示す蓄電池用ハンドルの一部拡大側面図、（ｃ）は（ａ）におけるｃ−ｃ線破断矢視断面図である。
【図３】一実施の形態による蓄電池用ハンドルが取り付けられる鉛蓄電池の一部拡大斜視図である。
【図４】一実施の形態による蓄電池用ハンドルが鉛蓄電池に取り付けられた状態の斜視図である。
【図５】一実施の形態による蓄電池用ハンドルの鉛蓄電池への取り付けの仕方を説明するための蓄電池用ハンドルおよび鉛蓄電池の第１の一部拡大側面図である。
【図６】一実施の形態による蓄電池用ハンドルの鉛蓄電池への取り付けの仕方を説明するための蓄電池用ハンドルおよび鉛蓄電池の第２の一部拡大側面図である。
【図７】一実施の形態による蓄電池用ハンドルの鉛蓄電池への取り付けの仕方を説明するための蓄電池用ハンドルおよび鉛蓄電池の第３の一部拡大側面図である。
【図８】一実施の形態による蓄電池用ハンドルが鉛蓄電池に取り付けられた状態における蓄電池用ハンドルおよび鉛蓄電池の一部拡大側面図である。
【図９】一実施の形態による蓄電池用ハンドルの鉛蓄電池からの取り外しの仕方を説明するための蓄電池用ハンドルおよび鉛蓄電池の一部拡大側面図である。
【図１０】一実施の形態による蓄電池用ハンドルと比較される比較例による蓄電池用ハンドルの部分平面図である。
【図１１】図１０に示す比較例による蓄電池用ハンドルが鉛蓄電池に取り付けられた状態の斜視図である。
【発明を実施するための形態】
【００２５】
次に、本発明の一実施の形態による蓄電池用ハンドルについて説明する。なお、以下の説明において同一部分には同一符号を付して説明する。
【００２６】
図１（ａ）は、この一実施の形態による蓄電池用ハンドル１の平面図、同図（ｂ）は側面図、同図（ｃ）は正面図である。また、図２（ａ）は図１（ａ）に示す蓄電池用ハンドル１の一部拡大平面図、図２（ｂ）は図１（ｂ）に示す蓄電池用ハンドル１の一部拡大側面図、図２（ｃ）は同図（ａ）におけるｃ−ｃ線破断矢視断面図である。また、図３は蓄電池用ハンドル１が取り付けられる鉛蓄電池２の一部拡大斜視図である。
【００２７】
蓄電池用ハンドル１は、柔軟性のある樹脂、例えば、ＰＰ（ポリプロピレン）を材質として一体成型され、図１に示すように、ハンドル両端にそれぞれ一対設けられた係止部１ａと、ハンドル両端の各係止部１ａ間をつなぐ帯状の把持部１ｂとを備えている。一方、鉛蓄電池２は、図３に示すように、電槽本体３の開口部がｚ方向から蓋４で閉じられて構成されている。蓋４には液口を塞ぐ液口栓５がｘ方向に一列に並んで設けられ、両端の液口栓５の近傍には一対の電池端子６が液口栓５に対してｙ方向に並んで設けられている。各電池端子６は、蓋４を貫通して蓋４の表面から柱状にｚ方向に突出している。蓋４のｘ方向で対向する各側部には切欠き部４ａがｙ方向に一対設けられている。切欠き部４ａは側面開口幅Ａが切欠き幅Ｂより狭く形成され、切欠き部４ａの下方には空間４ｂが設けられている。蓄電池用ハンドル１の各係止部１ａは、蓋４に設けられた各切欠き部４ａに引っ掛かって係止される。蓄電池２は、各係止部１ａが各切欠き部４ａに引っ掛かって係止された状態で、把持部１ｂが把持されて、持ち上げられる。
【００２８】
係止部１ａは、ハンドル両端に二股に分かれて形成された各腕部１ｃの末端に、切欠き部４ａの切欠き幅Ｂより大きく腕部１ｃの幅方向に張り出して形成されている。係止部１ａは、蓋４の各側部に形成された空間４ｂに図４に示すように嵌まって、切欠き部４ａに引っ掛かる幅寸法Ｃ（図２（ａ）参照）を有する。図４は、蓄電池用ハンドル１が鉛蓄電池２に取り付けられた状態を示す斜視図である。
【００２９】
各腕部１ｃは、係止部１ａから二股の根元側へ所定距離離れた切欠き部挿入位置１ｄの幅寸法Ｄが切欠き部４ａの側面開口幅Ａより小さい（Ｄ＜Ａ）。また、各腕部１ｃは、係止部１ａが図４に示すように切欠き部４ａに引っ掛かった際に切欠き部４ａの周縁に露出する二股の外側の位置に、爪状突起１ｅが形成されている。爪状突起１ｅは、二股の外側部分上方が、二股の根元側に近づくに連れて薄く形成されている（図２（ｃ）参照）。また、爪状突起１ｅが形成された位置の腕部１ｃの幅寸法Ｅは、切欠き部４ａの切欠き幅Ｂより小さい（Ｅ＜Ｂ）。また、各腕部１ｃは、係止部１ａが切欠き部４ａに引っ掛かった際に切欠き部４ａに位置する幅の寸法Ｆが、切欠き部４ａの切欠き幅Ｂよりも爪状突起１ｅの高さｈ分以上小さい（Ｆ＜Ｂ−ｈ）。また、各腕部１ｃは、係止部１ａが切欠き部４ａに引っ掛かった際に切欠き部４ａに位置する二股の外側部分が、その材質が持つ弾性に起因して発する、二股のその間隔を広げる付勢力により、各切欠き部４ａの互いに離れた内周４a1（図３参照）に押圧される。
【００３０】
また、各腕部１ｃは、切欠き部挿入位置１ｄより二股の根元側に、肉が削がれた中抜き部１ｆが形成されている。この中抜き部１ｆを挟む箇所の腕部１ｃには、中抜き部１ｆによって削がれた肉の体積と略同じ体積分、板厚ｔ１が厚くされた一対の厚肉部１ｇ（図２（ｂ）参照）が形成されている。また、中抜き部１ｆと切欠き部挿入位置１ｄとの間における二股の外側の腕部１ｃには、板厚ｔ１が厚くされて形成された指当て部１ｈが設けられている。本実施形態では、指当て部１ｈの板厚と厚肉部１ｇの板厚とが同じ寸法の板厚ｔ２に形成されており、指当て部１ｈと二股外側の厚肉部１ｇとは連続して形成されている。また、本実施形態では、指当て部１ｈにおける二股外側の側面に凹凸が形成されている。また、本実施形態では、指当て部１ｈは、把持部１ｂの持ち上げ方向ｚ（図２（ａ）参照）に略平行な方向に沿って形成されている。また、本実施形態では、各係止部１ａ間は、各係止部１ａと一体になって形成された連結部１ｉによって連結されている。連結部１ｉは平面視波形をしたバネ状に形成されており、材質が持つ弾性によって各係止部１ａ間に弾力を生じさせる。
【００３１】
次に、蓄電池用ハンドル１の蓋２への取り付けの仕方および蓋２からの取り外しの仕方について、図５〜図９を参照して説明する。
【００３２】
蓄電池用ハンドル１の蓋２への取り付けに際し、蓄電池用ハンドル１は、図５に示す鉛蓄電池２のｙ方向から見た一部拡大側面図に示すように、蓋２の側面において、腕部１ｃの切欠き部挿入位置１ｄが切欠き部４ａの側面開口位置に合せられる。そして、図６に示す鉛蓄電池２のｘ方向から見た一部拡大側面図に示すように、ハンドル両端に二股に分かれて形成された各腕部１ｃが、切欠き部４ａの側面開口幅Ａより幅寸法が小さい切欠き部挿入位置１ｄから、切欠き部４ａへ挿入される。
【００３３】
この挿入後、蓄電池用ハンドル１は、把持部１ｂ等が把持されて持ち上げられて、各腕部１ｃが各切欠き部４ａ内をスライドする。この際、各腕部１ｃは、爪状突起１ｅが形成された位置の幅寸法Ｅが切欠き部４ａの切欠き幅Ｂより小さいため、爪状突起１ｅが形成された位置の腕部１ｃの部分も、切欠き部４ａ内をスライドして通過する。また、この際、爪状突起１ｅの二股外側上部が図２（ｃ）に示すよう薄く形成されているため、腕部１ｃの爪状突起１ｅの部分はスムーズに切欠き部４ａ内に導かれる。図７に示す鉛蓄電池２のｘ方向から見た一部拡大側面図は、爪状突起１ｅが形成された位置の腕部１ｃの部分が、切欠き部４ａ内をスライドして通過した直後の状態を示している。その後、蓄電池用ハンドル１は、切欠き部４ａに位置する各腕部１ｃの二股の外側部分が、二股のその間隔を広げる付勢力により、各切欠き部４ａの互いに離れた内周４a1に押圧される。
【００３４】
その結果、蓄電池用ハンドル１は、図８に示す鉛蓄電池２のｘ方向から見た一部拡大側面図に示すように、各腕部１ｃの末端に切欠き部４ａの切欠き幅Ｂより大きく張り出して形成された係止部１ａが、切欠き部４ａの下方に形成された空間４ｂに嵌まって、切欠き部４ａに引っ掛かって係止される。このとき、各腕部１ｃの二股の外側の位置に形成されている爪状突起１ｅは、切欠き部４ａの周縁における蓋４の上面の上方に位置させられ、蓄電池用ハンドル１は蓋４への取り付け状態になる。
【００３５】
蓄電池用ハンドル１の蓋２からの取り外しは、指で指当て部１ｈを両側から押して、二股になった各腕部１ｃの間隔を狭めることで、行われる。各腕部１ｃの間隔を狭めると、各切欠き部４ａに位置する、切欠き幅Ｂよりも突起１ｄの高さｈ分以上小さな幅寸法Ｆの部分の各腕部１ｃが、各切欠き部４ａの内部で、各切欠き部４ａの互いに近い位置の内周４a2（図３参照）側へ移動する。この移動により、各切欠き部４ａの内部で爪状突起１ｅの高さｈ分以上各腕部１ｃが近づけられることで、爪状突起１ｅは、切欠き部４ａの周縁における蓋４の上面の上方位置から外れる。その後、指で指当て部１ｈを両側から押したまま、各腕部１ｃが下方へ押しやられることで、各腕部１ｃは、爪状突起１ｅに邪魔されること無く、各切欠き部４ａ内をスライドし、図９に示す鉛蓄電池２のｘ方向から見た一部拡大側面図に示すように、切欠き部挿入位置１ｄが切欠き部４ａに達する。この状態で、各腕部１ｃを蓋４の側面からｘ方向に遠ざけて蓋４の横へ引き抜き、指当て部１ｈから指を離すことで、各腕部１ｃは各切欠き部４ａから、つまり蓋４から取り外される。
【００３６】
このような本実施形態による蓄電池用ハンドル１によれば、蓄電池用ハンドルの図８に示す取り付け状態では、係止部１ａが切欠き部４ａに引っ掛かって係止されることで、把持部１ｂを持ち上げたときに蓄電池４の荷重は各腕１ｃの末端４箇所に設けられた係止部１ａによって支えられる。
【００３７】
また、この取り付け状態では、切欠き部４ａに位置する各腕部１ｃの二股の外側部分が、上記のように、二股のその間隔を広げる付勢力により、各切欠き部４ａの互いに離れた内周４1a1に押圧されて、爪状突起１ｅは、切欠き部４ａの周縁における蓋４の上面の上方に位置させられる。このため、把持部１ｂ等が上方から押されても、各腕部１ｃは、爪状突起１ｅが切欠き部４ａの周縁における蓋４の上面に衝突するため、下方に移動することができない。よって、各腕部１ｃの切欠き部挿入位置１ｄも下方に移動することができず、切欠き部挿入位置１ｄが切欠き部４ａに達して各腕部１ｃが切欠き部４ａから外れることはない。すなわち、鉛蓄電池２を収容した梱包箱の輸送時、梱包箱外部から梱包箱内部の把持部１ｂ等に外力が加わり、蓄電池用ハンドル１が上方から押された場合にも、各腕部１ｃが切欠き部４ａから意図せず外れる事態は防止される。
【００３８】
また、各腕部１ｃを切欠き部４ａから取り外す際には、上記のように、二股になった各腕部１ｃの間隔を狭め、各切欠き部４ａに位置する幅寸法Ｆの部分の各腕部１ｃを、各切欠き部４ａの内部で、各切欠き部４ａの互いに近い位置の内周４a2側へ爪状突起１ｅの高さｈ分以上近づけることで、爪状突起１ｅは、切欠き部４ａの周縁における蓋４の上面の上方位置から外れる。このため、鉛蓄電池２の蓋４に取り付けられた蓄電池用ハンドル１は、二股になった各腕部１ｃの間隔を狭め、下方へ押しやることで、切欠き部４ａから簡単に取り外すことができる。
【００３９】
また、本実施形態による蓄電池用ハンドル１によれば、中抜き部１ｆが形成された箇所の各腕部１ｃの剛性が低下して変形し易くなる。このため、各腕部１ｃを切欠き部４ａから取り外す際、中抜き部１ｆが曲げやすくなるため、二股になった各腕部１ｃの間隔を軽い力で狭めて、各腕部１ｃを各切欠き部４ａから容易に取り外すことができる。
【００４０】
また、蓄電池用ハンドル１に鉛蓄電池２の荷重が掛かった際には中抜き部１ｆに引張り力がかかるが、本実施形態による蓄電池用ハンドル１によれば、中抜き部１ｆを挟む箇所の腕部１ｃに板厚ｔ１が厚くされた厚肉部１ｇが形成されているため、この引張り力に対する引っ張り強度を中抜き部１ｆに確保することが可能になる。
【００４１】
また、本実施形態による蓄電池用ハンドル１によれば、腕部１ｃに板厚ｔ１が厚くされて形成された指当て部１ｈが設けられているため、指先を安定して指当て部１ｈに当てて、二股になった各腕部１ｃの間隔を操作感良く狭めることができる。
【００４２】
また、鉛蓄電池２の蓋４からは、図４に示すように、電池端子６が柱状に突出して指当て部１ｈの近傍に位置する。本実施形態による蓄電池用ハンドル１によれば、指当て部１ｈが、把持部１ｂの持ち上げ方向ｚに略平行な方向に沿って形成されているため、二股に広がる腕部１ｃにおいて指当て部１ｈが二股の外側に張り出す距離が抑制される。このため、指当て部１ｈの近傍に位置することとなる電池端子６と指当て部１ｈとの間に距離Ｌ（図４参照）が確保されるようになり、指当て部１ｈに指先を当てる際に指先が電池端子６に邪魔されなくなる。
【００４３】
また、本実施形態による蓄電池用ハンドル１によれば、指当て部１ｈにおける二股外側の側面に凹凸が形成されているため、指当て部１ｈに当てた指先が凹凸によって滑り難くなる。このため、指当て部１ｈに指先を当てて、確実に、二股になった各腕部１ｃの間隔を狭めることができる。
【００４４】
また、本実施形態による蓄電池用ハンドル１によれば、各係止部１ａ間が連結部１ｉによって連結されているため、各係止部１ａ間の距離の大きな変化が連結部１ｉによって抑制される。このため、蓄電池用ハンドル１を取り扱う際に腕部１ｃにおける二股の広がりの変化が抑制されて、ハンドル形状が安定化し、蓄電池用ハンドル１の取り扱い性が向上する。
【００４５】
図１０は、本実施形態による蓄電池用ハンドル１と比較される比較例による蓄電池用ハンドル１１の端部の部分平面図である。また、図１１は、図１０に示す蓄電池用ハンドル１１が鉛蓄電池２の蓋４に取り付けられた状態の斜視図である。なお、図１０および図１１において図２および図４と同一または相当する部分には同一符号を付してその説明は省略する。
【００４６】
この比較例による蓄電池用ハンドル１１は、腕部１ｃに中抜き部１ｈおよび指当て部１ｈが無く、各腕部１ｃの二股がその根元から「ハ」の字状に広がっている点が、上記実施例による蓄電池用ハンドル１と相違する。また、係止部１ａの上部における腕部１ｃの形状が長方形状に形成され、爪状突起１ｅに代えて蒲鉾状突起１ｊが形成されている点も、上記実施例による蓄電池用ハンドル１と相違する。蒲鉾状突起１ｊは、腕部１ｃの表裏に約１ｍｍ以下の高さに突出して蒲鉾状に形成されている。また、連結部１ｉが平板状に形成されて、バネ性を持たない点も、上記実施例による蓄電池用ハンドル１と相違する。
【００４７】
このような比較例による蓄電池用ハンドル１１においては、蒲鉾状突起１ｊが鉛蓄電池２の蓋４に形成された切欠き部４ａの周縁に引っ掛かることで、係止部１ａが切欠き部４ａの下方の空間４ｂから下方へ抜けるのが防止される。しかし、蒲鉾状突起１ｊの高さが上記のように約１ｍｍ以下の高さに形成されて低いため、鉛蓄電池２を収納した梱包箱の輸送時に、梱包箱外部から梱包箱内部の把持部１ｂ等に外力が加わり、蓄電池用ハンドル１１が上方から押された場合には、蒲鉾状突起１ｊが切欠き部４ａをすり抜けて、各腕部１ｃが切欠き部４ａから意図せず外れてしまうことがある。一方、これを防ぐため、蒲鉾状突起１ｊの高さをこれ以上高くすることは、蓄電池用ハンドル１１をユーザが蓋４から取り外す際の外し易さを考慮すると、難しい。
【００４８】
これに対し、本実施形態による蓄電池用ハンドル１は、上記のように、鉛蓄電池２を収納した梱包箱の輸送時に、梱包箱外部から梱包箱内部の把持部１ｂ等に外力が加わり、蓄電池用ハンドル１が上方から押された場合にも、爪状突起１ｅによって各腕部１ｃが切欠き部４ａから意図せず外れてしまうことは無い。したがって、蓄電池用ハンドル１の鉛蓄電池２への固定を確実に行える。このため、梱包箱への鉛蓄電池２の収容時、蓄電池用ハンドル１の一方の端部の各腕部１ｃに設けられた各係止部１ａを各切欠き部４ａへ係止させておき、他方の端部の各腕部１ｃに設けられた各係止部１ａを各切欠き部４ａから外しておくことで、蓋４の上面に把持部１ｂを近付けて梱包箱内に鉛蓄電池２を収容させることができる。よって、輸送時に蓄電池用ハンドル１の一方の端部が意図せず外れる恐れなく、梱包箱の大きさを抑制することができる。また、鉛蓄電池２を梱包箱から取り出す際には、容易に蓄電池用ハンドル１の外れた端部を蓋４に取り付けられると共に、車両に鉛蓄電池２を設置した後には、二股になった各腕部１ｃの間隔を狭め、各腕部１ｃを下方に押し下げることで、簡単に蓋４から蓄電池用ハンドル１を取り外すことができる。
【００４９】
また、比較例による蓄電池用ハンドル１１を工場で鉛蓄電池２に取り付ける際には、蒲鉾状突起１ｊの高さが低いため、蓄電池用ハンドル１１の鉛蓄電池２への確実な取り付けおよび固定を作業員が目視で確認することが難しい。これに対し、本実施形態による蓄電池用ハンドル１は、蓋４への取り付け時、切欠き部４ａの周縁における蓋４の上面に爪状突起１ｅが張り出すため、作業員は容易にその張り出しを目視できると共に、爪状突起１ｅが蓋４の上面に張り出す際にパチッという音がして広がるため、作業員はその音を聞くことができる。このため、本実施形態による蓄電池用ハンドル１は、目視と音との双方により、蓄電池用ハンドル１の蓋４への取り付けおよび固定を確実に確認することができる。
【産業上の利用可能性】
【００５０】
本発明による蓄電池用ハンドルは、ユーザが自動車用鉛蓄電池等を車両に取り付ける際に、重さのある蓄電池を手で持ち上げ易いように、蓄電池の蓋に取り付けられて使用される。蓄電池が車両に固定される際には蓄電池用ハンドルが車両側の蓄電池固定治具と干渉するため、蓄電池が車両の所定の位置に設置された後、蓄電池用ハンドルは蓄電池から取り外される。本発明による蓄電池用ハンドルは、重量物である蓄電池に確実に固定できる機能と、ユーザが工具無しで簡易に蓄電池から取り外せる機構を上記のように併せ持っている。
【符号の説明】
【００５１】
１…蓄電池用ハンドル、１ａ…係止部、１ｂ…把持部、１ｃ…腕部、１ｄ…切欠き部挿入位置、１ｅ…爪状突起、１ｆ…中抜き部、１ｇ…厚肉部、１ｈ…指当て部、１ｉ…連結部、２…鉛蓄電池、３…電槽本体、４…蓋、４ａ…切欠き部、４a1…切欠き部４ａの互いに離れた内周、４a2…切欠き部４ａの互いに近い内周
【図１】
2020136215.tif 000003
【図２】
2020136215.tif 000004
【図３】
2020136215.tif 000005
【図４】
2020136215.tif 000006
【図５】
2020136215.tif 000007
【図６】
2020136215.tif 000008
【図７】
2020136215.tif 000009
【図８】
2020136215.tif 000010
【図９】
2020136215.tif 000011
【図１０】
2020136215.tif 000012
【図１１】
2020136215.tif 000013